【手続補正書】
【提出日】平成20年1月10日(2008.1.10)
【手続補正１】
【補正対象書類名】明細書
【補正対象項目名】特許請求の範囲
【補正方法】変更
【補正の内容】
【特許請求の範囲】
【請求項１】  電子ロック装置において、
(a) シェル内に挿入可能であり、このシェルに対して回転可能なシリンダと、
(b) 前記シリンダ内に設けた電動ロック機構であり、解錠位置とロック位置との間で移動自在なロック部材を有し、このロック部材が前記ロック位置にあるとき、前記シリンダの前記シェル内での回転に干渉できるようにしたロックと、
(c) 前記シリンダに掛合可能であり、前記ロックに電気的に接続可能なバッテリを有するキーと、
を具え、
(d) 前記キー及び前記ロックのうちの少なくとも一方は、前記バッテリが前記ロックに電気的に接続したとき信号を発生することができるようにし、
(e) 前記ロックには、更に、ソレノイドコイル、および干渉位置と非干渉位置との間で移動自在のソレノイドプランジャを設け、このソレノイドプランジャが前記干渉位置にあるとき前記ロック部材の移動に対して抵抗を示し、また前記ソレノイドプランジャが非干渉位置にあるとき前記ロック部材の移動を可能にし、前記ソレノイドコイルは、前記信号に応答して前記バッテリによって前記ソレノイドプランジャを前記干渉位置から非干渉位置に移動させるに十分な電力を供給されるようにし、前記ロック部材は、前記ソレノイドプランジャが前記干渉位置にあるとき前記シリンダ内でこのロック部材を前記ソレノイドプランジャから遠ざかる方向に押圧するばね機構を有する構成とした
ことを特徴とする電子ロック装置。
【請求項２】  前記ソレノイドコイルおよび前記ソレノイドプランジャの双方を前記シリンダにおけるキャビティ内に収容した請求項１記載の電子ロック装置。
【請求項３】  前記キーは、前記バッテリを収容するハウジングを有し、このハウジングは、前記シリンダに掛合可能とし、また前記ハウジングの回転によって前記シリンダを前記シェルに対して回転させることができる構成とした請求項１記載の電子ロック装置。
【請求項４】  前記ばね機構は、前記キーのハウジングによって前記シリンダがホームポジションから回転するとき、前記シリンダおよび前記ハウジングをこのホームポジションジョンに押圧する請求項３記載の電子ロック装置。
【請求項５】  電子ロック装置において、
(a) シェル内に収容してこのシェルに対して回転可能なシリンダと、
(b) キーと
を具え、
(c) 前記キー及び前記シリンダのうちの少なくとも一方は、前記キーが前記シリンダに電気的に接続したとき信号を発生することができるようにし、更に、
(d) 前記シリンダ内に設けた電動ロック機構であり、解錠位置とロック位置との間で移動自在なロック部材を有し、このロック部材が前記ロック位置にあるとき前記シェルに対する前記シリンダの回転に干渉するようにしたロック機構と
を具え、また
(e) 前記シリンダの長手方向の移動に応答して前記ロック部材の移動に選択的に抵抗を示すようにした不正防止機構と
を具えた
ことを特徴とする電子ロック装置。
【請求項６】  前記ロック機構には、更に、前記ロック部材の移動に選択的に干渉する干渉部材を設けた請求項５記載の電子ロック装置。
【請求項７】  更に、前記シリンダがホームポジションから回転するとき前記シリンダを前記ホームポジションに押圧偏倚する偏倚機構を設けた請求項５記載の電子ロック装置。
【請求項８】  更に、前記シリンダ内に少なくとも部分的に位置するキー保持機構を設け、前記シリンダがホームポジションを越えて回転するとき前記キーを保持するようにした請求項５記載の電子ロック装置。
【請求項９】  前記ロック部材が前記解錠位置にあるとき、前記ロック機構は、前記シリンダと一緒に回転することができるようにした請求項５記載の電子ロック装置。
【請求項１０】  電子ロック装置において、
(a) 長手方向軸線を有する細長のシリンダであって、シェル内に挿入可能にし、このシェルに対して回転可能な該シリンダと、
(b) 前記シリンダ内に設けた電動ロック機構であり、解錠位置とロック位置との間で移動自在なロック部材を有し、このロック部材が前記ロック位置にあるとき、前記シリンダの前記シェル内での回転に干渉できるようにしたロックと、
(c) 前記シリンダに掛合可能であり、前記ロックに対して電気的に接続可能なバッテリを有するキーと、
を具え、
(d)前記キー及び前記ロックのうちの少なくとも一方は、前記バッテリが前記ロックに電気的に接続したとき信号を発生することができるようにし、
(e) 前記シリンダは、前記ロックのソレノイドコイルおよびソレノイドプランジャの双方を収容する内部キャビティを有し、また前記シリンダは、キー溝を画定し、前記内部キャビティは、前記キー溝から前記シリンダの長手方向に離間させ、前記ソレノイドコイルは、前記信号に応答して前記バッテリによって電力を供給され、前記ソレノイドプランジャを前記シリンダの長手方向に移動させ、前記ロック部材が前記ロック位置から前記解錠位置に前記長手方向軸線に交差する方向に移動するのを可能にする構成とした
ことを特徴とする電子ロック装置。
【請求項１１】  前記キャビティは、前記キー溝より長い軸線方向長さを有するものとした請求項１０記載の電子ロック装置。
【請求項１２】  前記キーは、前記バッテリを収容するハウジングを有し、このハウジングは、前記キー溝に掛合可能とし、また前記ハウジングの回転によって前記シリンダを前記シェルに対して回転させることができる構成とした請求項１０記載の電子ロック装置。
【請求項１３】  電子ロック装置において、
(a) ロックと、
(b) このロックに掛合可能なキーであって、バッテリおよびこのバッテリによって動作するクロックを有し、このクロックは、前記キーが前記ロックに掛合するとき、前記ロックに時間信号を供給できるものとした該キーと
を具えたことを特徴とする電子ロック装置。
【請求項１４】  前記キーは、キーコンピュータ装置を有し、このキーコンピュータ装置によって前記時間信号を前記ロックに供給するものとした請求項１３記載の電子ロック装置。
【請求項１５】  前記キーコンピュータ装置は、前記キーを前記ロックに掛合するとき、自動的に前記時間信号を前記ロックに供給する構成とした請求項１４記載の電子ロック装置。
【請求項１６】  請求項１３記載の電子ロック装置において、
(a) 前記ロックは、前記バッテリに電気的に接続可能であり、このロックの認識コードを前記キーに信号供給することができるロックコンピュータ装置を有し、
(b) 前記キーは、前記ロックが前記キーによって解錠したか否かに無関係に、前記クロックからの時間データに関連して前記ロックの前記認識コードを格納可能なメモリを設けたキーコンピュータ装置を有するものとした
電子ロック装置。
【請求項１７】  前記ロックは、前記バッテリによって電気的に接続可能なメモリを設けたロックコンピュータ装置を有する構成とした請求項１３記載の電子ロック装置。
【請求項１８】  電子ロック装置において、
(a) ロックと、
(b) 前記ロックに掛合可能なキーであって、バッテリおよびこのバッテリによって動作するクロックを有する該キーと
を具え、
(c) 前記ロックは、前記バッテリに電気的に接続可能なロックコンピュータ装置を有し、このロックコンピュータ装置により、前記バッテリとの電気的接続に応答して、このロックの認識コードを前記キーに信号供給することができるよう構成し、
(d) 前記キーは、前記ロックが前記キーによって解錠するか否かに無関係に前記ロックの認識コードを格納することができるメモリを有する構成とした
ことを特徴とする電子ロック装置。
【請求項１９】  前記メモリは、前記クロックからの時間データに関連して前記ロックの認識コードを格納することができるものとした請求項１８記載の電子ロック装置。
【手続補正２】
【補正対象書類名】明細書
【補正対象項目名】００１８
【補正方法】変更
【補正の内容】
【００１８】
キー１８の重要なコンポーネントとしては、バッテリ２８のような電源、ロック１２と交信するマイクロプロセッサがある。所要に応じて、機械的組立体と電気的接続構成にすることができる。例えば、ロック２４及び環状ネック部２６を示したが、他の機械的構成を使用して、キー１８をロック１２に掛合させて例えば、方形ペグのようなロックを回転することができるようにする。
【手続補正３】
【補正対象書類名】明細書
【補正対象項目名】００３６
【補正方法】変更
【補正の内容】
【００３６】
キーのマイクロプロセッサ１３２及びロックのマイクロプロセッサ１３８の双方は、それぞれに対応するメモリ１３４，１４０内に、キー１８及びロック１２に関して発生する動作を記憶する。このように、ロックのメモリ１４０には、ロック１２を解錠しようとした各キー１８、解錠行為を行なった時間、供給されたパスワード、及び／又はロックが解錠されたか否かを表わすデータを格納する。同様に、各キー１８は、メモリ１３４に、アクセスしたロック１２、ロック１２に供給したパスワード、ロック１２にアクセスした時間、及び／又はロック１２が解錠したか否かについて格納する。キーのマイクロプロセッサ１３２及びロックのマイクロプロセッサ１３８は、プログラミング装置、例えば、３ＣＯＭ（登録商標）社から販売されている「Palm Pailot（商標名）」を使用してプログラムすることができる。データはＲＳ２３２Ｃ準拠ケーブルを介して交信するか、デジタル情報を伝送する他の任意の標準方法を使用して伝達する。